(57)【特許請求の範囲】
【請求項１】
電源を選択されたアレイ状の抵抗器に結合するための、プリントヘッド用の受動多重化抵抗器アレイであって、
（ａ）ｍ行から成る複数の導体と、
（ｂ）ｎ列から成る複数の導体であって、行導体と列導体とがｍ×ｎ個の交点を有する格子を形成するように電気的に配置されている、ｎ列から成る複数の導体と、
（ｃ）複数のアレイ状の抵抗器であって、アレイ状の抵抗器の各々が、選択的に電力を受け取るために第１のｍ行の導体とｎ列の導体とのそれぞれの交点の間に接続されている、複数のアレイ状の抵抗器と、
（ｄ）ｎ列の導体と交差するように配置されている（ｍ＋１）番目の行導体と、
（ｅ）ｎ個から成り、熱を発生するが印刷を行わない複数のミニマイザ抵抗器であって、ミニマイザ抵抗器の各々が、（ｍ＋１）番目の行導体とｎの列導体とのそれぞれの交点の間に接続されている、複数のミニマイザ抵抗器とからなり、
前記（ｍ＋１）番目の行導体が、選択されていないアレイ状の抵抗器によって消費される寄生電力のピークを最小限にするように、選択的に前記電源によって付勢される、プリントヘッド用の受動多重化抵抗器アレイ。
【請求項２】
前記複数のアレイ状の抵抗器がｍ×ｎ個の抵抗器を備えている、請求項１に記載の受動多重化抵抗器アレイ。
【請求項３】
前記複数のアレイ状の抵抗器の抵抗値が、同じである、請求項１に記載の受動多重化抵抗器アレイ。
【請求項４】
前記複数のアレイ状の抵抗器と前記ミニマイザ抵抗器の抵抗値が、同じである、請求項３に記載の受動多重化抵抗器アレイ。
【請求項５】
ｍ行、及びｎ列のアレイ状の抵抗器を有し、そのアレイ状の抵抗器が列を活性化させ、且つ行を選択することによって電源から直接励振される、プリントヘッド用の長方形受動多重化抵抗器アレイにおいて、前記受動多重化抵抗器アレイに接続されたミニマイザ抵抗器の追加行を含み、前記ミニマイザ抵抗器は熱を発生するが印刷を行わず、前記追加行が、選択されていないアレイ状の抵抗器によって消費される寄生電力のピークを最小限にするように、選択的に前記電源によって付勢されるように改善されている、プリントヘッド用の長方形受動多重化抵抗器アレイ。
【請求項６】
電源を選択されたアレイ状の抵抗器に結合するための、プリントヘッド用の受動多重化抵抗器アレイであって、
（ａ）ｍ列から成る複数の導体と、
（ｂ）ｎ行から成る複数の導体であって、列導体と行導体とがｍ×ｎ個の交点を有する格子を形成するように電気的に配置されている、ｎ行から成る複数の導体と、
（ｃ）複数のアレイ状の抵抗器であって、そのアレイ状の抵抗器の各々が、電力を選択的に受け取るために第１のｍ列の導体とｎ行の導体とのそれぞれの交点の間に接続されている、複数のアレイ状の抵抗器と、
（ｄ）ｎ行の導体と交差するように配置されている（ｍ＋１）番目の列導体と、
（ｅ）ｎ個から成り、熱を発生するが印刷を行わない複数のミニマイザ抵抗器であって、ミニマイザ抵抗器の各々が、（ｍ＋１）番目の列導体とｎの行導体とのそれぞれの交点の間に接続されている、複数のミニマイザ抵抗器とからなり、
前記（ｍ＋１）番目の列導体が、選択されていないアレイ状の抵抗器によって消費される寄生電力のピークを最小限にするように、選択的に前記電源によって付勢される、プリントヘッド用の受動多重化抵抗器アレイ。
【請求項７】
ｍ行及びｎ列の導体、行と列の交点の間に接続されたアレイ状の抵抗器、及び対応する行と列を付勢することにより選択されたアレイ状の抵抗器に電力を供給するための電源を有する、プリントヘッド用の受動多重化抵抗器アレイにおいて、選択されていないアレイ状の抵抗器によって消費される寄生電力のピークを減らすための方法であって、
（ａ）（ｍ＋１）番目の導体行に、その（ｍ＋１）番目の導体行と導体列との間に接続される、熱を発生するが印刷を行わないミニマイザ抵抗器を提供するステップと、及び
（ｂ）選択されていないアレイ状の抵抗器によって消費される寄生電力のピークを最小限にするために、ミニマイザ抵抗器を有する（ｍ＋１）番目の導体行を選択的に付勢する、ステップとからなる、方法。
【請求項８】
前記アレイ状の抵抗器の抵抗値が、同じである、請求項７に記載の方法。
【請求項９】
前記アレイ状の抵抗器と前記ミニマイザ抵抗器の抵抗値が、同じである、請求項８に記載の方法。
【発明の詳細な説明】
【０００１】
【産業上の利用分野】
本発明は、受動多重化抵抗器アレイの分野に関する。より詳しくは、本発明は、受動多重化抵抗器アレイ内の選択されていない抵抗器によって消費されるピーク電力を減らすことに関する。
【０００２】
【従来の技術】
大きな抵抗器アレイが、多数の用途で使用されている。２つの例をあげれば、感熱紙に印刷するのに使用される、又は熱転写印刷に使用されるサーマル・プリントヘッド、及びサーマル・インクジェット・プリントヘッドである。これらの用途では、印刷媒体の所定の場所に「印をつける」ために、電流が抵抗器アレイ内の選択された抵抗器を介して励振される。
【０００３】
これら抵抗器アレイは多数の抵抗器を備えることができるため、各抵抗器を直接励振することは実用的ではない。従って、或る多重化形態が使用され、それにより、抵抗器を制御するのに必要な接続リード線の数を減らすことができる。
【０００４】
多重化の１つの形式は「受動多重化」として知られており、図１に示されている。図示された従来の受動多重化抵抗器アレイでは、複数の抵抗器Ｒ11−Ｒ64が、12ａ−12ｆの６行、及び10ａ−10ｄの４列を備えたアレイに接続されている。
【０００５】
10ａ−10ｄの列は列スイッチ18ａ−18ｄによって電圧源16に選択的に接続されうる。各列10ａ−10ｄを、その各々の列スイッチを閉じることにより順番に「活性化させる」ことができる。受動多重化では、一度に１つの列スイッチのみを閉じることができ、他の列スイッチは開いていなければならない。行12ａ−12ｆをスイッチ20ａ−20ｆによって、選択的にアース接地することができる。各行12ａ−12ｆは、その各々のスイッチを閉じることによって選択されうる。同時に複数行の選択が可能である。
【０００６】
各抵抗器Ｒ11−Ｒ64は、行12ａ−12ｆと列10ａ−10ｄとの各々の交点をブリッジしている。列を活性化させ、且つ行を選択することにより、活性化された列と、選択された行をブリッジしている抵抗器にはその間の電圧が加えられ、従って、抵抗器は直接励振される。図１では、第１列の10ａが活性化され、第１及び第３行の12ａ及び12ｃが選択されているのが示されている。従って、抵抗器Ｒ11及びＲ31が直接励振されていることが示されている。
【０００７】
図１の概略図では、抵抗器Ｒ11−Ｒ64は長方形の配置として示してある。この線図の配置は、この説明の便宜上選択したに過ぎない。抵抗器は、電気的接続が図のままであれば、どんな任意の配置としても物理的に配列することができる。例えば、抵抗器はサーマル・プリントヘッド用に一直線上に、又はサーマル・インクジェット・プリントヘッド用に２本の線上に配列することができる。
【０００８】
受動多重化抵抗器アレイでは、電流はアレイ内の各抵抗器Ｒ11−Ｒ64を通って流れることができる。例えば、図１を参照して、スイッチが図に示した状態にある時、「寄生」電流が第１列10ａに沿って、抵抗器Ｒ21を通り、第２行12ｂに沿って、抵抗器Ｒ22を通り、第２列10ｂに沿って、抵抗器Ｒ12を通り、第１行に沿って第１行スイッチ20ａを経由してアース接地する。
【０００９】
【発明が解決しようとする課題】
寄生電流に伴う１つの問題点は、選択されていない抵抗器が「付勢する」程の寄生エネルギーを受けとることがあるということである。即ち、その抵抗器は、サーマル・プリントヘッドにおいて媒体に印を付けるのに、又はインクジェット・プリントヘッドにおいてインクを噴射するのに十分な熱を発生することができるのである。必要とされるのは、選択されていない抵抗器によって消費されるエネルギーの量を減らす、受動多重化抵抗器アレイである。
【００１０】
本発明の主な課題は、選択されていない抵抗器によって消費される寄生電力の量を減らす受動多重化抵抗器アレイを提供することである。
【００１１】
【課題を解決するための手段】
本発明は、少なくとも１行の「ミニマイザ(minimizer)」抵抗器を備えている受動多重化抵抗器アレイを目指している。これらミニマイザ抵抗器は選択されていない抵抗器によって消費される寄生電力を減らす様に選択することができる。
【００１２】
本発明のこれらの、及び他の特徴、態様、及び利点は、以下の説明及び特許請求の範囲を参照すれば更に良く理解されるであろう。
【００１３】
【実施例】
図２は寄生電流の経路を示すために、図１の回路を再配列したものを示している。第１列スイッチ18ａは閉じており、それにより第１列10ａを活性化している。他の列スイッチ18ｂ−18ｄは開いている。第１及び第３の行スイッチ20ａ及び20ｃは閉じており、それにより第１及び第３の行12ａ及び12ｃが選択され、抵抗器Ｒ11及びＲ31が直接励振される。直接励振される、すなわち「付勢される」抵抗器には一般に参照記号Ｒfを付けてある。他の行スイッチ20ｂ及び20ｄ−20ｆは開いている。
【００１４】
直接励振される抵抗器Ｒ11及びＲ31に加え、電流は第１列10ａに接続されている他の、選択されていない抵抗器Ｒ21及びＲ41−Ｒ61にも流れる。これらの抵抗器は、図２では参照記号Ｒcを付けてある。そこから、電流は、活性化されている列内でも、又は選択された行内でもない抵抗器に流れ、それらは一般に、参照記号Ｒuで示されている。最後に電流は、選択されている行の、一般に参照記号Ｒrで示してある抵抗器を通ってアースに至る。
【００１５】
多くの用途において、アレイ内の全ての抵抗器の抵抗は同じである。サーマル・インクジェット印刷の場合には、全抵抗（他のパラメータも同様）の等しいプリントヘッドを設計すれば、プリントヘッドは多数のノズルに対して一様な性能を発揮することが保証される。従って、この説明の残りでは、抵抗器アレイ内の抵抗器の抵抗は等しいものと仮定する。この様な場合には、直接励振されない抵抗器を通る寄生電流についての解決法を得ることは、非常に簡単である。
【００１６】
これらの解決法を数学的に表すために、次の記号を定義する。
Rows＝アレイ内の行数
Columns＝アレイ内の列数
Ｎ＝選択された列内の活性化されている抵抗器の数
Ｒ＝アレイ内の抵抗器の値。
【００１７】
対称性のため、第２列から第４列までの10ｂ−10ｄを、それらが相互に接続されているかの様に考えられうる。従って、活性化された列内の、選択されていない抵抗器Ｒcの全抵抗Ｒc,tは、単に抵抗の並列結合であり、次の方程式で与えられる。
Ｒc,t＝Ｒ／（Rows−Ｎ）      （１）。
【００１８】
同様に、活性化された列内にも、選択された行内にもない無関係な抵抗器Ｒuの全抵抗Ｒu,tは、次の方程式により与えられる。
Ｒu,t＝Ｒ／（（Columns−１）（Rows−Ｎ））      （２）。
【００１９】
そして最後に、活性化された列内にはないが、選択された行内にはある抵抗器Ｒrの全抵抗Ｒr,tは、次の方程式により与えられる。
Ｒr,t＝Ｒ／（（Columns−１）（Ｎ））            （３）。
【００２０】
直接励振される抵抗器Ｒ11及びＲ31を通る電力は次の通りである。
Ｐf＝Ｉ2Ｒ＝Ｖ2／Ｒ        （４）。
【００２１】
活性化された列の、選択されていない抵抗器Ｒcを通る全電力は、次の式で与えられる。
Ｐc＝(Ｖ2/(Ｒc,t+Ｒu,t+Ｒr,t)2)・(Ｒc,t/(Rows−Ｎ)）         （５）。
【００２２】
従って、活性化された列内の、単一で、選択されていない抵抗器Ｒcを通る電力は、次の式で与えられる。
Ｐc＝(Ｖ2/(Ｒc,t+Ｒu,t+Ｒr,t)2)・(Ｒ/(Rows−Ｎ)2）           （６）。
【００２３】
その結果をＶ2／Ｒで割って、直接励振される抵抗器Ｒfによって消費される電力の値に正規化し、次の比を得る。
Ｐc／Ｐf＝(１/(Ｒc,t+Ｒu,t+Ｒr,t)2)・(Ｒ2/(Rows−Ｎ)2）      （７）。
【００２４】
同様に、選択された抵抗器に無関係の行、及び列内の抵抗器Ｒuを通る電力、及び選択された行内の抵抗器Ｒrを通る電力に関する方程式は、それぞれ次の様になる。
Ｐu/Ｐf＝(１/(Ｒc,t+Ｒu,t+Ｒr,t)2)・(Ｒ2/((Columns−1)(Rows−Ｎ))2） （８）
Ｐr/Ｐf＝(１/(Ｒc,t+Ｒu,t+Ｒr,t)2)・(Ｒ2/((Columns−1)(Ｎ))2）       （９）。
【００２５】
上で得られた方程式を使用することにより、寄生電力によって消費される相対電力を計算することができる。活性化された列内の選択されていない抵抗器Ｒc、活性化された列内にも、選択された行内にもない無関係な抵抗器Ｒu、及び選択された行内の抵抗器Ｒrに対する計算の結果を、直接励振される抵抗器の種々な数について、表１に示す。
【００２６】
【表１】
0003744951.tif 000002
【００２７】
表１に示す通り、５個の抵抗器が直接励振されると（Ｎ＝５）、活性化された列内の選択されていない抵抗器Ｒcは、直接励振される１個の抵抗器が消費するエネルギーの51.0パーセントを消費する。この値は恐らく、サーマル・プリントヘッドに印刷させるのに、又はサーマル・インクジェット・プリントヘッドにインクを噴射させるのに十分な程大きい。
【００２８】
方程式７−９は、選択されていない抵抗器によって消費される最大寄生電力が、抵抗器アレイの大きさ、及び直接励振される抵抗器の数によって決まることを示している。この事実は、選択されていない抵抗器によって消費される最大寄生電力を極小化するのに利用することができる。
【００２９】
今度は図３を参照すると、本発明に従った受動多重化抵抗器アレイが示されている。従来の技術での様に、抵抗器アレイは６行12ａ−12ｆ、及び４列10ａ−10ｄに電気的に配置された抵抗器Ｒ11−Ｒ64を備えている。同様に、行スイッチ20ａ−20ｆ、及び列スイッチ18ａ−18ｄは行、及び列を各々アース、及び電圧源16に選択的に接続する。
【００３０】
抵抗器アレイは更に「ミニマイザ」抵抗器Ｒ71−Ｒ74を、追加の行12ｇに備えている。これらのミニマイザ抵抗器は、抵抗器アレイ内に電気的に接続されているが、アレイ内の他の抵抗器と同じ機能を果たすものではない。好適実施例では、抵抗器アレイはサーマル・プリントヘッド、又はサーマル・インクジェット・プリントヘッドに含まれている。破線14に囲まれている抵抗器Ｒ11−Ｒ64は、印刷に使用される熱を発生する。ミニマイザ抵抗器Ｒ71−Ｒ74は、熱を発生するが、印刷を行なわない様に、又はサーマル・インクジェット・プリントヘッドの場合には、ミニマイザ抵抗器はインクをノズルから噴射させない様に、物理的に配置されている。むしろ、これらのミニマイザ抵抗器を選択的に付勢させて、印刷機能を果たしていない、他の選択されていない抵抗器によって消費される最大エネルギーを減らすことができる。
【００３１】
ミニマイザ抵抗器Ｒ71−Ｒ74は、必ずしもプリントヘッド上に設置されなければならないわけではない。電気接続が図３に示す通りである限り、物理的配置を変えることができる。
【００３２】
方程式７−９を使用して、抵抗器Ｒc、Ｒu、及びＲrに対する相対消費電力を、同時に選択される行の異なる数Ｎについて計算し、表２に示してある。印刷には６行の抵抗器だけが使用されているが、７番目のミニマイザ行が、選択的に付勢されることがあるため、表に含まれている。
【００３３】
【表２】
0003744951.tif 000003
【００３４】
寄生電流を減らすために、ミニマイザ行12ｇは、活性化された列内で１つ、又は６つの他の抵抗器が励振される時に、いつも選択される。例えば、行スイッチ20ｂが閉じられ、第２行が選択されれば、他の行スイッチ20ａ及び20ｃ−20ｆが開けられ、次にミニマイザ行スイッチ20ｇが閉じて２つの抵抗器が選択されることになる（Ｎ＝２）。同様に、６つ全ての行スイッチ20ａ−20ｆが閉じれば、ミニマイザ行スイッチ20ｇが閉じて、全ての抵抗器が選択されることになる（Ｎ＝７）。１つ、又は全体で６つの抵抗器が同時に選択されることは決してない。従って、選択されていない抵抗器への最悪の場合の寄生電力は、Ｎが５の時に生ずる、直接励振抵抗器が消費する電力の46.5％である。
【００３５】
今度は図４を参照すると、本発明に従う他の受動多重化抵抗器アレイが図示されている。従来技術の場合の様に、抵抗器アレイは６行12ａ−12ｆ及び４列10ａ−10ｄとして電気的に配置されている抵抗器Ｒ11−Ｒ64を備えている。同様に、行スイッチ20ａ−20ｆ及び列スイッチ18ａ−18ｄは、行及び列を各々アース及び電圧源16に選択的に接続する。
【００３６】
抵抗器アレイは更にミニマイザ抵抗器Ｒ71−Ｒ84を追加の２行12ｇ−12ｈに備えている。単一行のミニマイザ抵抗器の場合の様に、これらのミニマイザ抵抗器は印刷を行なわない。
【００３７】
表３は、同時に選択される行の異なる数Ｎについて、選択されていない抵抗器で消費される電力を、直接励振抵抗器で消費される電力の百分率として示している。
【００３８】
【表３】
0003744951.tif 000004
【００３９】
ミニマイザ抵抗器は、１つ、２つ、６つ、又は７つの抵抗器が１つの列で同時には決して付勢されない様に選択される。例えば、行スイッチ20ｆを閉じて行20ｆを選択し、行スイッチ20ａ−20ｅを開けば、ミニマイザ行スイッチ20ｇ及び20ｈが閉じてＮが３に等しくなる。この様に、選択されていない抵抗器への最悪の場合の寄生電力は42.5％である。
【００４０】
本発明を、サーマル・プリントヘッド及びサーマル・インクジェット・プリントヘッドに関連して説明してきた。当業者には、本発明をどんな受動多重化抵抗器アレイにも適用し得ることが理解されるであろう。
【００４１】
ミニマイザ抵抗器をプリントヘッドに配置する、又はプリントヘッドから外す際の必要条件はない。むしろ、必要条件は、ミニマイザ抵抗器が選択されうる追加行として電気的に接続されているということである。
【００４２】
本発明を複数の行が同時に選択されうる、活性化された列について説明してきた。本発明は、選択されていない抵抗器によって消費される電力を減らすために、ミニマイザ抵抗器が励振されて、一度に１つだけの「機能的な」抵抗器が励振されうる場合にも適用できる。
【００４３】
本発明は、１つの行を活性化させて、１つ、又は複数の列が選択されうる「置き換え」ケースに、同等に適用可能である。この様な場合には、ミニマイザ抵抗器の１つ、又は複数の追加列が、上に説明したのと同様の方法で配置されうる。図５はこの様な配置を示している。追加列10ｅが、その関連するスイッチ18ｅと共に、図１の構造に追加されている。この列と行との交点を横断してミニマイザ抵抗器Ｒ15−Ｒ65の列が、同様の仕方で且つ既に述べた目的で接続されている。図５では、スイッチ20ａが閉じていて、行12ａが選択されている。同様に、スイッチ18ａ及びスイッチ18ｃが閉じていて、列10ａ及び10ｃが活性化されている。回路の動作は、この構成を図３の置き換えと考え、その回路の詳細な説明を適用することによって理解することができる。
【００４４】
同様に、電圧源16を、図示した全ての回路で、動作原理に影響を与えずに、アース接地と交換することができる。
【００４５】
図３、図４、及び図５に示す抵抗器アレイは完全に満たされている、即ち、導体行と導体列との各交点に、抵抗器が存在している。本発明は、或る交点に抵抗器が存在しない、まばらな抵抗器アレイにも適用可能である。
【００４６】
それ故、特許請求の範囲の意図、及び範囲を、ここに示した好適実施例の記述に限定すべきではない。
【００４７】
以下に本発明の実施態様を列挙する。
【００４８】
１．  （ａ）（ｍ＋１）行から成る複数の導体と、
（ｂ）ｎ列から成る複数の導体であって、導体行と導体列とが（ｍ＋１）×ｎ個の交点を有する格子状に、電気的に配置されている導体と、
（ｃ）複数の抵抗器であって、抵抗器の各々がｍ個の導体行とｎ個の導体列とのそれぞれの交点の間に接続されている抵抗器と、
（ｄ）ｎ個から成る複数のミニマイザ抵抗器であって、ミニマイザ抵抗器の各々は（ｍ＋１）番目の導体行とｎ個の導体列とのそれぞれの交点の間に接続されているミニマイザ抵抗器と、
から構成されている受動多重化抵抗器アレイ。
【００４９】
２．  複数の抵抗器がｍ×ｎ個の抵抗器を備えている項番１に記載の受動多重化抵抗器アレイ。
【００５０】
３．  複数の抵抗器の抵抗は実質上同じである項番１に記載の受動多重化抵抗器アレイ。
【００５１】
４．  複数の抵抗器とミニマイザ抵抗器の抵抗が実質上同じである項番３に記載の受動多重化抵抗器アレイ。
【００５２】
５．  更に、（ａ）ｎ個の導体列と交差する様に配置されている（ｍ＋２）番目の導体行と、
（ｂ）ｎ個から成る複数のミニマイザ抵抗器であって、ｎ個の複数のミニマイザ抵抗器の各々は（ｍ＋２）番目の導体行とｎ個の導体列との交点の間にそれぞれ接続されているミニマイザ抵抗器と、
を備えている項番１に記載の受動多重化抵抗器アレイ。
【００５３】
６．  複数の抵抗器の抵抗が実質上同じである項番５に記載の受動多重化抵抗器アレイ。
【００５４】
７．  複数の抵抗器とミニマイザ抵抗器の抵抗が実質上同じである項番６に記載の受動多重化抵抗器アレイ。
【００５５】
８．  ｍ行、及びｎ列の抵抗器を備え、抵抗器は列を活性化させ、且つ行を選択することによって直接励振される長方形受動多重化抵抗器アレイにおいて、受動多重化抵抗器アレイに接続されたミニマイザ抵抗器の追加行を含む、改良型受動多重化抵抗器アレイ。
【００５６】
９．  複数の抵抗器の抵抗が実質上同じである項番８に記載の受動多重化抵抗器アレイ。
【００５７】
10．  複数の抵抗器とミニマイザ抵抗器の抵抗が実質上同じである項番９に記載の受動多重化抵抗器アレイ。
【００５８】
11．  （ａ）（ｍ＋１）列から成る複数の導体と、
（ｂ）ｎ行から成る複数の導体であって、導体列と導体行とが（ｍ＋１）×ｎ個の交点を有する格子状に、電気的に配置されている導体と、
（ｃ）複数の抵抗器であって、抵抗器の各々が、ｍ個の導体列とｎ個の導体行とのそれぞれの交点の間に接続されている抵抗器と、
（ｄ）ｎ個から成る複数のミニマイザ抵抗器であって、ミニマイザ抵抗器の各々が、（ｍ＋１）番目の導体列とｎ個の導体行とのそれぞれの交点の間に接続されているミニマイザ抵抗器と、
から構成されている受動多重化抵抗器アレイ。
【００５９】
12．  ｍ行及びｎ列の抵抗器を備えている受動多重化抵抗器アレイに関して、受動多重化抵抗器アレイ内の選択されていない抵抗器によって消費されるピーク寄生電力を減らす方法であって、
（ａ）受動多重化抵抗器アレイに接続されている１行のミニマイザ抵抗器を提供するステップと、
（ｂ）ミニマイザ抵抗器の行を選択的に選択して、選択されていない抵抗器によって消費されるピーク寄生電力を減らすステップと、
から構成される方法。
【００６０】
13．  抵抗器の抵抗が実質上同じである項番１２に記載の方法。
【００６１】
14．  抵抗器とミニマイザ抵抗器の抵抗が実質上同じである項番１３に記載の方法。
【００６２】
【発明の効果】
本発明によって、サーマル・プリントヘッド、又はインクジェット・プリントヘッドに関して、受動多重化抵抗器アレイが提供され、選択されていない抵抗器によって消費されるエネルギーの量を減らすことができる。
【図面の簡単な説明】
【図１】従来技術の受動多重化抵抗器アレイの概略図を示す。
【図２】寄生電流を一層明瞭に示すために、再配置した図１の抵抗器アレイを示す。
【図３】ミニマイザ抵抗器の単一行を備えている本発明に従った受動多重化抵抗器アレイを示す。
【図４】更にミニマイザ抵抗器の第２の行を備えている図３の受動多重化抵抗器アレイを示す。
【図５】ミニマイザ抵抗器の単一列を備えている、図３の「置き換え」ケースを示す。
【符号の説明】
Ｒ          抵抗器／ミニマイザ抵抗器
10ａ−10ｅ  列
12ａ−12ｈ  行
16          電圧源
18ａ−18ｅ  列スイッチ
20ａ−20ｈ  行スイッチ
【図１】
0003744951.tif 000005
【図２】
0003744951.tif 000006
【図３】
0003744951.tif 000007
【図４】
0003744951.tif 000008
【図５】
0003744951.tif 000009